(57)【要約】  スケールから保護したい設備と異なる部位で水中のスケール成分を効率よく除去し、設備に対するスケールの付着を安定的に抑制可能な水処理装置を提供する。給湯装置１に搭載する水処理装置１０を、取水配管１１、取水ポンプ１２、ガス供給部１３、スケール反応部１５、スケール分離部１６、流路切換弁１７、排水配管１８等により構成する。スケール除去処理では、貯湯タンク２から取水配管１１に水を循環させつつ、ガス供給部１３から水中に二酸化炭素を含むガスを供給する。これにより、水中のスケール成分をスケール反応部１５等で二酸化炭素と反応させてスケールを析出させ、このスケールをスケール分離部１６により除去する。これにより、給湯装置１の機能を維持するために必要な部分、即ち、スケールから保護したい部分にスケールが付着して蓄積されるのを抑制することができる。
2015052840.tif 000002
【特許請求の範囲】
【請求項１】
水を取扱う設備から水を取出して当該水を前記設備に戻す取水回路と、
前記取水回路を流れる水に対して二酸化炭素を含むガスを供給するガス供給部と、
前記水の流れ方向において前記ガス供給部の下流側で前記取水回路に設けられ、前記ガスの供給により前記取水回路の水に析出したスケールを分離するスケール分離部と、
を備えた水処理装置。
【請求項２】
前記スケール分離部に蓄積したスケールを洗浄する洗浄処理を実行したときに、前記スケール分離部から流出した水を前記設備に戻さずに外部に排出する排水手段を備えてなる請求項１に記載の水処理装置。
【請求項３】
前記取水回路には、前記ガス供給部と前記スケール分離部との間に配置され、前記取水回路を流れる水と前記ガスとを反応させて水中にスケールを析出させるためのスケール反応部を設けてなる請求項１または２に記載の水処理装置。
【請求項４】
前記ガス供給部から供給されるガスは、ガスを微細気泡化する微細気泡発生装置を介して前記取水回路内に導入される構成としてなる請求項１から３のうち何れか１項に記載の水処理装置。
【請求項５】
前記スケール反応部は、前記水と前記ガスとの混合物を一時的に貯留する反応槽を備えてなる請求項３に記載の水処理装置。
【請求項６】
前記スケール反応部は、螺旋状に湾曲した流路により形成されて前記水と前記ガスとの混合物が流通する反応流路を備えてなる請求項３または５に記載の水処理装置。
【請求項７】
前記スケール分離部の下流側で前記取水回路に設けられ、前記スケール分離部から流出した水に含まれる気泡を破壊する気泡破壊手段を備えてなる請求項１から６のうち何れか１項に記載の水処理装置。
【請求項８】
前記スケール分離部に蓄積したスケールを洗浄する洗浄処理が必要であるか否かを判定する判定手段と、
前記判定手段により前記洗浄処理が必要であると判定された場合に、前記洗浄処理を実行する洗浄手段と、
を備えてなる請求項１から７のうち何れか１項に記載の水処理装置。
【請求項９】
前記洗浄手段は前記ガス供給部により構成し、
前記洗浄処理の実行時には、前記スケール分離部に流入する水に対して前記ガス供給部から前記ガスを供給する構成としてなる請求項８に記載の水処理装置。
【請求項１０】
前記洗浄手段は、スケールを再溶解させるための酸性物質を前記スケール分離部に供給する構成としてなる請求項８または９に記載の水処理装置。
【請求項１１】
前記洗浄手段は、前記スケール分離部を超音波振とうさせる構成としてなる請求項８から１０のうち何れか１項に記載の水処理装置。
【請求項１２】
請求項１から１１のうち何れか１項に記載の水処理装置と、
前記設備を構成し、温水を貯留する貯湯タンクと、
前記貯湯タンクに貯湯された温水を外部に供給する給湯配管と、
を備えた給湯装置。
【請求項１３】
請求項１及び３から１１のうち何れか１項に記載された水処理装置と、
前記設備を構成し、温水を貯留する貯湯タンクと、
前記貯湯タンクに貯湯された温水を外部に供給する給湯配管と、
前記貯湯タンクに貯留された温水を利用して浴槽水を加熱するための熱交換器と、
前記熱交換器と浴槽との間で浴槽水を循環させる追焚配管と、
前記水処理装置の取水回路を流れる水を前記貯湯タンクに戻さずに前記追焚配管に排出することが可能な排水手段と、
を備えた給湯装置。
【発明の詳細な説明】
【技術分野】
【０００１】
本発明は、例えば貯水槽、配管等の設備に用いられ、スケールの付着を抑制する機能を備えた水処理装置及び当該水処理装置を用いた給湯装置に関する。
【背景技術】
【０００２】
一般に、貯水槽、配管等のように水を取扱う設備においては、水中に溶け込んだカルシウム、マグネシウム等のスケール成分がスケールとなって析出し、析出したスケールが設備に付着することになり易い。このようなスケールに対処する従来技術としては、例えば特許文献１から３に示すように、水中に二酸化炭素を供給する方法が提案されている。【０００３】
具体的に述べると、特許文献１に記載された従来技術では、例えば水槽等の設備に対して、水処理装置により二酸化炭素を供給する。これにより、水槽中のスケール成分は、二酸化炭素との反応により炭酸化合物となって析出するので、分離、除去することが可能となる。また、特許文献２及び３に記載された他の従来技術では、処理対象となる水の中に二酸化炭素の微細気泡を注入し、当該水のｐＨを低下させる。これにより、他の従来技術では、水に対するスケール成分の溶解度を高い状態に保持し、スケールが析出するのを抑制するようにしている。
【先行技術文献】
【特許文献】
【０００４】
【特許文献１】日本特開平１０−１７４９７９号公報
【特許文献２】日本特開２０１０−７８２３９号公報
【特許文献３】日本特開２０１０−２２３５２５号公報
【発明の概要】
【発明が解決しようとする課題】
【０００５】
しかしながら、特許文献１に記載された従来技術では、水処理装置を搭載した設備の一部である水槽に二酸化炭素を供給するので、二酸化炭素の供給により生じたスケールが水槽の壁面に付着する可能性がある。即ち、この従来技術では、水処理装置を搭載した設備をスケールから十分に保護することができないという問題がある。特に、給湯装置等のように高温水を熱交換器に流通させる設備では、高温となる熱交換器及び配管の内部にスケールが析出し易くなる。この結果、スケールが溜まると、熱交換器の性能の低下、配管の詰まり等により給湯効率が低下するという問題がある。【０００６】
一方、特許文献２及び３に記載された他の従来技術では、水のｐＨを低下させることにより、スケールの析出を抑制する構成としている。このため、水源の水質等に応じて水のｐＨが変動したり、周囲の温度環境等によって水温が上昇すると、水中に二酸化炭素を注入していても、スケールが析出する虞れがある。即ち、上述した他の従来技術では、スケールの析出を安定的に抑制するのが難しいという問題がある。【０００７】
本発明は、上述の課題を解決するためになされたもので、スケールから保護したい設備と異なる部位で水中のスケール成分を効率よく除去し、設備に対するスケールの付着を安定的に抑制することが可能な水処理装置及び給湯装置を提供することを目的としている。
【課題を解決するための手段】
【０００８】
この発明に係る水処理装置は、水を取扱う設備から水を取出して当該水を前記設備に戻す取水回路と、前記取水回路を流れる水に対して二酸化炭素を含むガスを供給するガス供給部と、前記水の流れ方向において前記ガス供給部の下流側で前記取水回路に設けられ、前記ガスの供給により前記取水回路の水に析出したスケールを分離するスケール分離部と、を備えたものである。
【発明の効果】
【０００９】
この発明によれば、設備が取扱う水に含まれるスケール成分を効率よく除去することができる。これにより、設備の機能を維持するために必要な部分、即ち、スケールから保護したい部分にスケールが付着して蓄積されるのを抑制することができる。従って、設備の機能を安定的に発揮させることができる。
【図面の簡単な説明】
【００１０】
【図１】本発明の実施の形態１による水処理装置を搭載した給湯装置を示す全体構成図である。
【図２】図１中の水処理装置を拡大して示す要部拡大図である。
【図３】本発明の実施の形態１によるスケール反応部の具体例（ａ），（ｂ）を示す斜視図である。
【図４】本発明の実施の形態１によるスケール分離部の具体例（ａ），（ｂ），（ｃ）を示す斜視図である。
【図５】本発明の実施の形態１において、水中のカルシウムの反応効率と気泡の泡径との関係を模式的に示す特性線図である。
【図６】本発明の実施の形態１において、水処理装置に気泡破壊装置を搭載した第１の変形例を示す要部拡大図である。
【図７】本発明の実施の形態１において、水処理装置に洗浄液供給装置を搭載した第２の変形例を示す要部拡大図である。
【図８】本発明の実施の形態１において、水処理装置に超音波振とう装置を搭載した第３の変形例を示す要部拡大図である。
【発明を実施するための形態】
【００１１】
実施の形態１．
以下、図１から図５を参照して、本発明の実施の形態１について説明する。なお、本明細書で使用する各図においては、共通する要素に同一の符号を付し、重複する説明を省略するものとする。図１は、本発明の実施の形態１による水処理装置を搭載した給湯装置を示す全体構成図である。
【００１２】
図１に示すように、給湯装置１は、貯湯タンク２、給湯配管３等を備えている。貯湯タンク２は温水を貯湯するためのタンクであり、貯湯タンク２の上部側には、図示しない加熱装置により加熱された高温水が補充される。また、貯湯タンク２の下部側には、図示しない給水配管等を介して水源から低温水が補充されるように構成されている。これにより、貯湯タンク２には、上部側に高温水が滞留し、下部側に低温水が滞留するように温度成層が形成される。なお、貯湯タンク２は、水を取扱う設備に対応している。
【００１３】
給湯配管３は、家屋の各所に配置された給湯栓８（１個のみ図示）に温水を供給するものである。給湯配管３の一端側は貯湯タンク２の上部に接続され、給湯配管３の他端側は給湯栓８に接続されている。また、給湯配管３には、貯湯タンク２の上部から取出した高温水に低温水を混合するための混合弁（図示せず）が接続されている。これにより、給湯栓８には、混合弁により適度な温度に調整された温水が給湯配管３を介して供給される。
【００１４】
また、給湯装置１は、浴槽９に貯留された浴槽水を加熱（追焚き）するために、熱交換器４、追焚往き配管５、追焚戻し配管６、追焚ポンプ７等を備えている。熱交換器４は、貯湯タンク２に貯留された高温水または前記加熱装置により加熱された高温水を用いて浴槽水を加熱するもので、熱交換器４の１次側流路には、これらの高温水が供給されるように構成されている。熱交換器４の２次側流路は、追焚往き配管５及び追焚戻し配管６を介して浴槽９と接続されている。これにより、熱交換器４は、１次側流路に供給される高温水と２次側流路を流れる浴槽水との間で熱交換することにより、浴槽水を加熱する。
【００１５】
追焚往き配管５は、浴槽９から流出した浴槽水を熱交換器４の２次側流路に流入させるもので、追焚戻し配管６は、熱交換器４の２次側流路から流出した浴槽水を浴槽９に戻すものである。これらの追焚往き配管５及び追焚戻し配管６は、熱交換器４の２次側流路と浴槽９との間で浴槽水を循環させる追焚配管を構成している。追焚往き配管５には、上述した浴槽水の循環を行うための追焚ポンプ７が設けられている。なお、追焚ポンプ７は、追焚戻し配管６に設けてもよい。
【００１６】
次に、給湯装置１の基本的な動作について説明する。まず、ユーザが給湯栓８を操作したときには、貯湯タンク２の上部に貯留された高温水が給湯配管３に流出し、この高温水には、混合弁により低温水が混合される。このとき、混合弁による高温水と低温水との混合比率は、給湯装置１に搭載された制御装置（図示せず）等により制御される。これにより、給湯配管３を流れる温水の温度は、例えばユーザが予め設定しておいた給湯温度となるように調整され、この温水は給湯配管３から給湯栓８に供給される。
【００１７】
また、ユーザにより浴槽水の追焚き操作が行われたときには、制御装置により追焚運転が実行される。この場合、制御装置は、追焚ポンプ７を駆動すると共に、熱交換器４の１次側流路に高温水を供給する。これにより、熱交換器４の２次側流路を循環する浴槽水は、熱交換器４により加熱された後に浴槽９に戻されるようになり、浴槽９内の浴槽水が加熱される。一方、上述した給湯動作や追焚運転により貯湯タンク２の高温水が減少すると、制御装置により沸上げ運転が実行される。沸上げ運転では、貯湯タンク２の下部側から取出した低温水を前記加熱装置により加熱し、これによって生成した高温水を貯湯タンク２の上部に戻すことにより、貯湯タンク２内の水を加熱する。
【００１８】
次に、図１及び図２を参照して、給湯装置１に備えられた水処理装置１０について説明する。図２は、図１中の水処理装置を拡大して示す要部拡大図である。水処理装置１０は、貯湯タンク２に貯留された温水中のスケール成分を除去するものである。なお、以下の説明において、スケール成分とは、水中に溶け込んだカルシウムイオン、マグネシウムイオン等の硬度成分を意味し、スケールとは、これらの硬度成分の炭酸化合物である炭酸カルシウム、炭酸マグネシウム等を意味している。
【００１９】
給湯装置１においては、特に井水等のスケール成分の含有量が多い水を給湯水として用いる場合に、貯湯タンク２の内壁面等にスケールが析出して付着し易い。また、高温水が流通する給湯配管３、熱交換器４、追焚往き配管５、追焚戻し配管６等の内部にも、スケールが付着し易い。水処理装置１０は、このように給湯装置１の機能を維持するために必要な設備、即ち、スケールから保護したい設備に対してスケールが付着するのを抑制するものである。水処理装置１０は、図１及び図２に示すように、取水配管１１、取水ポンプ１２、ガス供給部１３、ガス容器１４、スケール反応部１５、スケール分離部１６、流路切換弁１７、排水配管１８等を備えている。
【００２０】
取水配管１１は、取水ポンプ１２と共に貯湯タンク２から水を取出して当該水を貯湯タンク２に戻す取水回路を構成している。取水ポンプ１２は、貯湯タンク２に貯留された温水を取水配管１１に循環させるものである。取水配管１１の一端側（上流側）は、貯湯タンク２の上部に接続されている。なお、図１及び図２では、取水配管１１の上流側を給湯配管３を介して貯湯タンク２の上部に接続した場合を例示したが、取水配管１１の上流側を貯湯タンク２の上部に直接接続する構成としてもよい。
【００２１】
取水配管１１の他端側（下流側）は、貯湯タンク２の下部側に接続されている。以下の説明では、取水配管１１のうち流路切換弁１７よりも下流側に位置する部位を、タンク接続部１１Ａと表記する。即ち、タンク接続部１１Ａは、流路切換弁１７と貯湯タンク２の下部側とを接続している。なお、タンク接続部１１Ａは、給湯装置１に搭載された他の配管を介して貯湯タンク２の下部側に接続してもよい。取水配管１１には、水の流れ方向に沿って上流側から順番に、取水ポンプ１２、ガス供給部１３、スケール反応部１５、スケール分離部１６、流路切換弁１７が設けられている。
【００２２】
ガス供給部１３は、例えば二酸化炭素を含むガスが貯蔵されたガス容器１４に接続されており、取水配管１１を流れる水に対してガス容器１４内のガスを供給するものである。なお、以下の説明において、「ガス」とは、二酸化炭素を含むガスを意味するものとする。ガス供給部１３は、ガスを微細気泡化する微細気泡発生装置（図示せず）を備えている。ガス供給部１３から供給されるガスは、微細気泡発生装置により、例えば直径10μm以下、好ましくは直径1μｍ以下の微細な気泡にされた状態で水中に混入される。特に、直径1μｍ以下の微細気泡を形成した場合には、水中で気泡同士が合体して気泡が大型化する合泡等が発生し難くなり、スケール成分と反応し易い微細気泡を安定的に維持することができる。なお、ガス供給部１３により供給するガスは、二酸化炭素が元々含まれている大気でもよいし、二酸化炭素の濃度を大気中よりも高くした高濃度のガスでもよい。
【００２３】
ガス供給部１３により二酸化炭素を微細化するための具体的な手段としては、例えば高圧下でガスを水中に溶解させた後に、減圧により水中のガスを気泡化する加圧減圧法を用いてもよい。また、水の旋回流を形成し、この旋回流中にガスを巻き込ませることにより当該ガスをせん断または粉砕して気泡化する気液せん断法を用いてもよい。気液せん断法では、例えば翼等の構造物により水を400回/分以上の高速で旋回させ、二酸化炭素を含むガスを旋回流の中に吸引しつつ、このガスを切断または粉砕して微細気泡を生成する。
【００２４】
スケール反応部１５は、ガス供給部１３により水中に供給されたガスの微細気泡と、取水配管１１を流れる水中のスケール成分とを反応させる部位であり、水中にスケールの微粒子を効率よく析出させることができる。スケール反応部１５は、ガス供給部１３とスケール分離部１６との間に配置されている。図３は、本発明の実施の形態１によるスケール反応部の具体例（ａ），（ｂ）を示す斜視図である。まず、図３（ａ）は、スケール反応部１５の一例である反応槽１５Ａを示している。反応槽１５Ａは、例えば円筒状の容器により形成され、その軸方向の端面には、取水配管１１の上流側、下流側にそれぞれ接続される接続口１５ａ，１５ｂが設けられている。
【００２５】
反応槽１５Ａは、取水配管１１に接続した状態において、取水配管１１の途中部位を拡径した状態となるような形状を有している。即ち、反応槽１５Ａは、取水配管１１の径方向において、取水配管１１の流路よりも大きな寸法をもって形成されている。これにより、反応槽１５Ａによれば、取水配管１１を流れる水とガスとの混合物をスケール分離部１６の上流側で一時的に貯留し、水と二酸化炭素との反応によるスケールの析出を促進することができる。
【００２６】
なお、一定量の水とガスとを反応槽１５Ａ内に一旦閉じ込めた状態でスケールの析出を進行させる処理（所謂バッチ式の処理）を行う場合には、接続口１５ａ，１５ｂに電磁弁等の遮断弁を設けて水流を一時的に停止させる構成としてもよい。また、反応槽１５Ａの容積は、貯湯タンク２よりも小さくするのが好ましい。何故なら、反応槽１５Ａの水処理量を貯湯タンク２以上としても無意味である上に、反応槽１５Ａの容積が小さいほど、その内部に滞留する二酸化炭素の微細気泡の数が増えてスケールの析出反応が促進されるからである。
【００２７】
一方、図３（ｂ）は、スケール反応部１５の一例である反応流路１５Ｂを示している。反応流路１５Ｂは、螺旋状に湾曲した流路として形成され、当該流路の端部側には、取水配管１１の上流側、下流側にそれぞれ接続される接続口１５ｃ，１５ｄが設けられている。反応流路１５Ｂの流路径は、析出したスケールによって流路が閉塞しない太さに設計する必要がある。反応流路１５Ｂによれば、スケール反応部１５としての容積がコンパクトであっても、水と二酸化炭素とが混ざり合いながら流れる反応時間を長く確保することができ、スケールの析出を促進することができる。
【００２８】
なお、本発明は、必ずしもスケール反応部１５を必要とするものではない。一例を挙げると、取水配管１１によりガス供給部１３とスケール分離部１６との間に十分な長さの流路を確保できるのであれば、この流路自体がスケール反応部となるので、スケール反応部となる専用の部品を用いる必要はない。また、本発明では、スケール反応部１５として、反応槽１５Ａと反応流路１５Ｂとを接続したものを用いてもよい。また、水中で析出したスケールはスケール反応部１５に蓄積易いので、スケール反応部１５の近傍には、熱源等を配置しないようにして、スケールが析出し過ぎる状況を回避するのが好ましい。但し、設計上の制約等から、スケール反応部１５を熱源の近くに配置する場合には、ガス供給部１３による二酸化炭素の供給量を調整したり、後述のスケール洗浄処理を頻繁に実行する等の対策を行うのが好ましい。
【００２９】
スケール分離部１６は、ガス供給部１３の下流側での反応、特にスケール反応部１５での反応により水中に析出したスケールの微粒子を大きな粒子に成長させ、この粒子を水中から分離及び除去するものである。スケール分離部１６は、ガス供給部１３の下流側で取水配管１１に設けられている。図４は、本発明の実施の形態１によるスケール分離部の具体例（ａ），（ｂ），（ｃ）を示す斜視図である。
【００３０】
まず、図４（ａ）に示すフィルタ１６Ａは、フィルタ状の構造を有し、水中に含まれるスケールの粒子を濾過して分離する。また、図４（ｂ）に示す加熱型分離器１６Ｂは、取水配管１１に接続される流路１６ａと、この流路１６ａを取囲むように配置されて流路１６ａ内を流れる水を加熱する環状のヒータ１６ｂとを備えている。そして、加熱型分離器１６Ｂは、水温が高いほどスケール成分の溶解度が減少する特性を利用して、ヒータ１６ｂが水を加熱することによりスケールの析出を促進するものである。
【００３１】
また、図４（ｃ）に示す電極反応型分離器１６Ｃは、例えば一対の電極１６ｃ，１６ｄを備え、これらの電極１６ｃ，１６ｄ間に電圧を印加することにより、スケールの析出を促進するものである。一般に、炭酸カルシウム等のスケールは、アルカリ性の溶液中で析出が促進される。従って、電極反応型分離器１６Ｃでは、例えば電圧の極性を図示のように設定することにより、陰極となる電極１６ｄの周囲にアルカリ性領域を形成し、この領域でスケールの析出を促進することができる。
【００３２】
なお、図４では、スケール分離部１６として、フィルタ１６Ａ、加熱型分離器１６Ｂ及び電極反応型分離器１６Ｃからなる３種類の機器を例示したが、本発明では、これら３種類の機器のうちの２つまたは３つの機器を組合わせて１つのスケール分離部１６を構成してもよい。そして、この場合には、組合わせる機器の最下流側に、スケールの分離能力が高いフィルタ１６Ａを配置するのが好ましい。また、本発明では、スケール分離部１６の外郭を、例えば反応槽１５Ａと同様の大径な水槽により構成してもよい。
【００３３】
また、図４（ｃ）に示す電極反応型分離器１６Ｃでは、水の流路内に２個の電極１６ｃ，１６ｄを配置する場合を例示した。しかし、本発明はこれに限らず、例えば円筒状をなす流路の中心に陽極となる電極を配置し、流路の周壁により陰極側の電極を構成してもよい。また、中心と周壁のどちらを陽極とするべきかについては、特に指定しなくてもよいが、陰極の周囲にアルカリ性領域が形成されてスケールが析出するので、面積がより大きい周壁を陰極とするのが好ましい。さらに、スケール分離部１６は、バッチ式の処理が可能な構成としてもよい。バッチ式の処理では、スケールを含む一定量の水をスケール分離部１６内に一旦閉じ込め、この状態でスケールの分離及び除去を進行させる。
【００３４】
次に、図１及び図２を参照して、本実施の形態の排水手段を構成する流路切換弁１７及び排水配管１８について説明する。排水手段は、後述のスケール洗浄処理を実行したときに、スケール分離部１６から流出した水を貯湯タンク２に戻さずに外部に排出するもので、本実施の形態では、水の排出先として追焚戻し配管６を例示している。
【００３５】
流路切換弁１７は、スケール分離部１６から流出した水の流路をタンク接続部１１Ａと排水配管１８の何れかに切換えるものである。流路切換弁１７は、電磁駆動式の三方弁等により構成され、１つの流入ポートと２つの流出ポートとを有している。流路切換弁１７の流入ポートは、スケール分離部１６の下流側で取水配管１１に接続されている。また、２つの流出ポートのうち一方の流出ポートは、取水配管１１のタンク接続部１１Ａを介して貯湯タンク２の下部側に接続され、他方の流出ポートは、排水配管１８を介して追焚戻し配管６に接続されている。
【００３６】
このように構成される水処理装置１０は、例えば給湯装置１の制御装置により制御される。即ち、給湯装置１の制御装置は、水処理装置１０の取水ポンプ１２、ガス供給部１３、流路切換弁１７等を制御するように構成されている。なお、本発明では、給湯装置１と水処理装置１０の制御装置を必ずしも兼用する必要はなく、水処理装置１０を制御する専用の制御装置を搭載してもよい。
【００３７】
（スケール除去処理）
次に、本実施の形態による水処理装置１０の作動について説明する。まず、水処理装置１０は、貯湯タンク２内の水に含まれるスケール成分を除去するスケール除去処理を実行することができる。スケール除去処理では、図２において、流路切換弁１７により取水配管１１の下流側を貯湯タンク２と接続し、この状態で取水ポンプ１２及びガス供給部１３を駆動する。このとき、排水配管１８は、流路切換弁１７により取水配管１１から遮断されている。取水ポンプ１２が作動すると、貯湯タンク２の上部から温水が取出され、この温水は、給湯時のように矢示Ａ方向には流れず、矢示Ｂ方向に流れて取水配管１１を流通する。そして、この温水は、流路切換弁１７を介して矢示Ｃ方向に流通し、貯湯タンク２に戻されるようになり、取水配管１１を循環する。
【００３８】
また、取水配管１１を循環する水には、まず、ガス供給部１３から水中に二酸化炭素を含むガスの微細気泡が混入され、この微細気泡を含む水はスケール反応部１５を流通する。これにより、スケール反応部１５を含む流路では、下記化１の反応式に示すように、水中のスケール成分と二酸化炭素との反応が進行してスケールの微粒子が析出し、析出した微粒子は成長して大型化する。そして、このスケール粒子は、スケール分離部１６に到達し、スケール分離部１６により水中から除去される。なお、下記の反応式は、スケール成分としてカルシウムイオンを例示したものである。
【００３９】
【化１】
2015052840.tif 000003
【００４０】
具体例を挙げると、スケール分離部１６がフィルタ１６Ａである場合には、水中のスケール粒子を濾過により除去することができる。また、スケール分離部１６が加熱型分離器１６Ｂまたは電極反応型分離器１６Ｃである場合には、スケール分離部１６において、水が加熱された領域またはアルカリ性の領域が存在するので、スケール粒子は、これらの領域で更に大きな粒子に成長する。従って、沈殿、濾過等の手段によりスケールを容易に除去することができる。
【００４１】
特に、スケール分離部１６が加熱型分離器１６Ｂである場合には、水温の上昇に伴って物質（元素、原子、分子）が高エネルギ状態となり、物質同士の衝突確率、つまり反応頻度が高くなる。従って、水中のイオンであるスケール成分から炭酸化合物が生成される反応を効率よく進行させることができる。このような観点から、本発明では、スケール分離部１６として加熱型分離器１６Ｂを用いる場合に、スケール反応部１５と加熱型分離器１６Ｂとを同一の機器として一体化し、例えば反応槽１５Ａ及び反応流路１５Ｂの周壁を加熱する構成としてもよい。また、本発明では、例えばスケール反応部１５と電極反応型分離器１６Ｃとを同一の機器として一体化し、例えば反応槽１５Ａ及び反応流路１５Ｂの内部に電極１６ｃ，１６ｄを配置する構成としてもよい。
【００４２】
このようにして、スケール分離部１６により軟水化された水は、流路切換弁１７に到達し、取水配管１１のタンク接続部１１Ａを経由して貯湯タンク２の下部側に戻される。このとき、スケール分離部１６には、水から分離されたスケールが蓄積される。従って、スケール除去処理によれば、貯湯タンク２内の水からスケール成分を除去することができる。なお、後述のスケール洗浄処理を行う場合には、スケール分離部１６から流出した水が流路切換弁１７を介して排水配管１８に流入し、貯湯タンク２に水が戻されなくなる。
【００４３】
上述したスケール除去処理では、例えばガス供給部１３から供給する二酸化炭素ガスの温度を上昇させることにより、スケール反応部１５でのスケールの反応効率を高める方法が有効である。炭酸カルシウム等のスケールは、温度が高いほど析出し易い傾向があるので、供給するガスの温度を高くすれば、反応効率を向上させることができる。具体例を挙げると、ガス容器１４からガス供給部１３に至るガスの流路に、ガスを加熱するヒータを設けてもよい。
【００４４】
また、水処理装置１０を給湯装置１に適用する場合には、貯湯タンク２内の温水から熱が伝導する位置、好ましくは貯湯タンク２の上部近傍にガス供給部１３またはガス容器１４を配置する構成としてもよい。この構成によれば、専用のヒータ等を用いなくても、貯湯タンク２の熱を利用して二酸化炭素ガスを効率よく加熱し、スケールの反応効率を高めることができる。また、スケール反応部１５にヒータを設けたり、スケール反応部１５を貯湯タンク２の上部近傍に配置することで、貯湯タンク２の熱を利用して取水配管１１内の水温を上昇させる構成としてもよい。これらの方法によれば、ヒータ等からなる専用の加熱手段を用いなくても、取水配管１１内の水温または二酸化炭素ガスの温度を効率よく上昇させ、スケールの反応効率を高めることができる。
【００４５】
一方、スケールの反応効率を高めるためには、処理対象となる水の水質をアルカリ化する（水のｐＨを高くする）方法も有効である。水質をアルカリ化すると、二酸化炭素ガスの微細気泡の帯電量が増加し、気泡同士が合体し難くなるので、微細気泡が安定的に存在するようになる。これにより、スケール反応部１５等では、水中のスケール成分と二酸化炭素との反応効率を高め、スケールを安定的に析出させることができる。具体的には、ｐＨを調整する試薬を添加したり、水中に電極を設けて通電することにより、アルカリ雰囲気を形成することができる。但し、加熱、アルカリ化等の方法によりスケールの反応効率を高める場合には、スケール反応部１５で析出したスケールが堆積して水の流路を閉塞しないように流路の太さ、形状等を設計する必要がある。
【００４６】
また、スケールの反応効率を高めるためには、二酸化炭素を含むガスの気泡を微細化する方法も有効である。図５は、本発明の実施の形態１において、水中のカルシウムの反応効率と気泡の泡径との関係を模式的に示す特性線図である。この図に示すように、二酸化炭素ガスの気泡が微細であるほど、スケールの反応効率（この場合、カルシウムが生成する反応の効率を例示）は向上する。これは、気泡が微細化すると、気液が接する気泡の表面積、即ち、二酸化炭素とスケール成分との反応場所が広くなることに起因するものである。また、水に対する気泡の圧力により水中への二酸化炭素の移行が促進することにも起因している。
【００４７】
しかし、気泡が過度に微細化されると、二酸化炭素が水中に溶解し過ぎて水質が酸性側に偏ることになり、析出した炭酸化合物であるスケールが再溶解する現象が生じる（図５中に示す特性線の左端部を参照）。これらの点を考慮して、ガス供給部１３から供給するガスの泡径は、例えば１μｍ以下であって、かつ、二酸化炭素が過剰に水溶しない程度の大きさに設定するのが好ましい。これにより、気泡同士が合泡するのを抑制して個々の微細気泡を維持しつつ、スケールの反応効率を高めることができる。
【００４８】
（気泡破壊装置）
上述したように、微細気泡はスケールの析出に有効であるが、この微細気泡が貯湯タンク２に流入すると、貯湯タンク２の内部及び給湯先等でスケールを析出させる可能性がある。このため、水処理装置２０には、図６に示す第１の変形例のように、スケール分離部１６から流出した水に含まれる微細気泡を破壊する気泡破壊手段としての気泡破壊装置２１を搭載してもよい。図６は、本発明の実施の形態１において、水処理装置に気泡破壊装置を搭載した第１の変形例を示す要部拡大図である。
【００４９】
気泡破壊装置２１は、制御装置により制御されるもので、例えば取水配管１１のうちスケールを除去した水を貯湯タンク２に戻す部位であるタンク接続部１１Ａに配置されている。また、気泡破壊装置２１の具体例としては、例えば超音波を発生して当該超音波の圧力により微細気泡を破壊する超音波発生装置、高温により微細気泡を温度調整装置等が挙げられる。上述した第１の変形例によれば、二酸化炭素ガスの微細気泡を含む水が水処理装置２０から貯湯タンク２に戻されることにより、当該タンク内にスケールが析出するのを抑制することができる。また、微細気泡を含む水が貯湯タンク２から外部に給湯されることにより、配管、熱交換器等にスケールが析出するのを抑制することができる。
【００５０】
（スケール洗浄処理）
次に、水処理装置１０のスケール洗浄処理について説明する。スケール洗浄処理は、スケール分離部１６に蓄積されたスケールを洗浄して除去するための洗浄処理である。制御装置は、まず、前述のスケール除去処理を行っていないタイミングで、スケール洗浄処理が必要であるか否かを判定するための判定処理を行う。この判定処理は、例えばスケール分離部１６に設けられたスケール検出器（図示せず）から出力される信号に基いて行われるもので、スケール分離部１６におけるスケールの蓄積量が予め設定された上限判定値を超えた場合に、スケール洗浄処理が必要であると判定する。
【００５１】
なお、スケール検出器は、スケール分離部１６に蓄積したスケールの量を検出し、当該蓄積量に応じた信号を制御装置に出力するものである。また、上記判定処理では、必ずしもスケール検出器を用いる必要はない。即ち、判定処理では、例えば水処理装置１０の稼働時間が予め設定された基準時間に達したときに、スケール洗浄処理が必要であると判定する構成としてもよい。これらの判定処理は、判定手段の具体例を示すものである。
【００５２】
スケール洗浄処理が必要と判定された場合には、制御装置により同処理を実行する。スケール洗浄処理では、例えばガス供給部１３から水中に二酸化炭素ガスを混入し、この二酸化炭素ガスをスケール分離部１６に供給する。また、二酸化炭素をガス供給部１３からスケール分離部１６に円滑に到達させるために、例えば取水ポンプ１２を低速で作動させ、取水配管１１の上流側から下流側に向けて少量の水を流通させる。なお、この構成例において、ガス供給部１３は、スケール分離部１６を洗浄する洗浄手段を構成している。また、スケール洗浄処理では、流路切換弁１７を切換えることにより、取水配管１１のうちタンク接続部１１Ａよりも上流側の部位を排水配管１８と接続し、タンク接続部１１Ａを排水配管１８から遮断する。
【００５３】
このようにして、スケール分離部１６に二酸化炭素が供給されると、スケール分離部１６は酸性雰囲気に保持される。この結果、スケール分離部１６に蓄積されたスケールは、再溶解してスケール分離部１６から除去される。即ち、スケールとして炭酸カルシウムを例に挙げると、スケール分離部１６に蓄積されていた炭酸カルシウムは、下記化２の反応式により二酸化炭素の存在下で再溶解し、カルシウムイオンとなって水中に溶け込む。そして、スケール成分が溶け込んだ水は、流路切換弁１７及び排水配管１８を介して追焚戻し配管６に排出される。このように、本実施の形態によれば、スケール分離部１６を洗浄した廃水を流路切換弁１７及び排水配管１８から容易に排出することができ、メンテナンス性が高い水処理装置１０を実現することができる。
【００５４】
【化２】
2015052840.tif 000004
【００５５】
上記構成によれば、判定処理を行うことにより、スケール分離部１６に蓄積したスケールの洗浄が必要な場合にのみ、スケール洗浄処理を実行することができる。これにより、スケール洗浄処理の実行頻度を必要最小限に抑えることができ、スケールの過剰な蓄積を回避しつつ、水処理装置１０のメンテナンス性を向上させることができる。また、上記構成によれば、専用の二酸化炭素供給源等を用いなくても、スケール除去処理に用いるガス供給部１３を利用して、スケール分離部１６を洗浄することができる。従って、水処理装置１０の構成を複雑化しなくても、スケール洗浄処理の機能を実現することができる。なお、スケールが再溶解するときの反応効率を高めるためには、スケール除去処理の場合と比較して多量の二酸化炭素をガス供給部１３から水中に混入するのが好ましい。また、この二酸化炭素は、スケール除去処理の場合と同様の理由により、１μｍ以下の微細気泡であることが好ましい。
【００５６】
一方、上記構成例では、ガス供給部１３を洗浄手段として用いる場合を例示したが、本発明はこれに限らず、ガス供給部１３と別個に専用の二酸化炭素供給源を用意し、スケール除去処理の実行時には、この二酸化炭素供給源からスケール分離部１６に二酸化炭素を供給する構成としてもよい。この場合、二酸化炭素の供給時には、貯湯タンク２から水処理装置１０に対する水の流入を停止し、スケール反応部１５に水が流入しないようにするのが好ましい。水の流入を停止するには、例えば制御装置により開閉される遮断弁等をスケール反応部１５の上流側に設け、この遮断弁により水の流れを遮断すればよい。
【００５７】
（洗浄液供給装置）
次に、スケール洗浄処理を実行する他の構成として、スケールを再溶解させるための酸性物質を用いる場合について説明する。図７は、本発明の実施の形態１において、水処理装置に洗浄液供給装置を搭載した第２の変形例を示す要部拡大図である。この図に示す水処理装置３０は、炭酸化合物であるスケールが酸性領域で溶解する特性を利用してスケール洗浄処理を行うもので、例えば酸性物質を含む洗浄液をスケール分離部１６に供給する洗浄液供給装置３１を備えている。洗浄液供給装置３１は、制御装置により制御されるもので、スケール分離部１６を洗浄する洗浄手段を構成している。
【００５８】
そして、スケール洗浄処理では、貯湯タンク２から水処理装置３０に対する水の流入を停止した状態で、洗浄液供給装置３１からスケール分離部１６に洗浄液を供給する。これにより、スケール分離部１６が酸性雰囲気に保持され、蓄積したスケールが再溶解する。そして、スケールが再溶解した水は、流路切換弁１７及び排水配管１８を介して追焚戻し配管６に排出される。このように、洗浄手段として洗浄液供給装置３１を用いた場合でも、スケール分離部１６を洗浄することができる。
【００５９】
また、水処理装置１０がスケール反応部１５と電極反応型分離器１６Ｃとを一体化した構成を備えている場合において、スケール洗浄処理を実行するときには、電極１６ｃ，１６ｄ間における電圧の印加方向をスケール除去処理の場合と逆転させる方法も有効である。これにより、電極１６ｃ，１６ｄのうちスケール除去処理時に陰極となる電極、即ち、スケールが蓄積された電極が陽極となるので、蓄積されたスケールを再溶解させて除去することができる。しかも、スケール洗浄処理が終了してスケール除去処理を再開するときには、スケール洗浄処理の場合と逆向きで同じ大きさの電圧を印加することにより、電極１６ｃ，１６ｄの劣化を抑制することができ、当該電極の寿命を延ばすことができる。
【００６０】
（超音波振とう装置）
次に、スケール洗浄処理を実行する他の構成として、超音波振とうを用いる場合について説明する。図８は、本発明の実施の形態１において、水処理装置に超音波振とう装置を搭載した第３の変形例を示す要部拡大図である。この図に示す水処理装置４０は、洗浄手段としての超音波振とう装置４１を備えている。超音波振とう装置４１は、制御装置により制御されるもので、スケール分離部１６を微細振動（超音波振とう）させる機能を備えている。なお、超音波振とう装置４１により発生させる振動の強さは、スケール分離部１６の構成材料、構造、強度等により決定される。
【００６１】
スケール洗浄処理では、制御装置により超音波振とう装置４１を作動させ、スケール分離部１６に微細振動を発生させる。この結果、スケール分離部１６に蓄積されたスケールは、微細振動を受けてスケール分離部１６の壁面から浮き上がり、水中に浮遊した状態となる。浮遊したスケールは、流路切換弁１７及び排水配管１８を介して追焚戻し配管６に排出されるので、スケール分離部１６を洗浄することができる。
【００６２】
なお、実施の形態１では、貯湯タンク２内の水を水処理装置１０に導入する手段として、取水ポンプ１２を例示した。しかし、本発明はこれに限らず、ポンプ以外の機器により貯湯タンク２から水処理装置１０に水を導入してもよく、または、ポンプ等の機器を用いずに、貯湯タンク２内の水が自然落下により水処理装置１０に流入する構成としてもよい。また、実施の形態１では、取水ポンプ１２をスケール分離部１６の上流側に配置する場合を例示したが、本発明はこれに限らず、取水ポンプ１２をスケール分離部１６の下流側に配置する構成としてもよい。この構成によれば、取水ポンプ１２に対するスケールの付着を抑制することができる。
【００６３】
また、実施の形態１では、排水配管１８を追焚戻し配管６に接続し、スケール洗浄処理で発生した洗浄後の廃水を追焚戻し配管６に排出する場合を例示した。この構成によれば、洗浄後の廃水を追焚戻し配管６から浴槽９に流入させることができ、ユーザ等は、浴槽９に溜まった廃水を抜くだけで、廃水の処理を容易に行うことができる。従って、給湯装置１に搭載された既存の配管を利用して、スケール洗浄処理を効率よく行うことができ、給湯装置１のメンテナンス性を向上させることができる。
【００６４】
一方、本発明において、排水配管１８の接続先は、追焚戻し配管６に限定されるものではない。即ち、排水配管１８は、追焚戻し配管６以外の配管に接続してもよいし、専用の廃水容器、廃水設備等に接続可能な構成としてもよい。具体例を挙げると、排水配管１８は、例えば追焚往き配管５に接続してもよく、これによっても追焚戻し配管６に接続した場合と同様の効果を得ることができる。
【００６５】
また、実施の形態１では、スケール除去処理及びスケール洗浄処理以外の運転を行う場合に、流路切換弁１７により取水回路１１を排水配管１８から遮断し、排水配管１８を行き止まりの状態に保持するのが好ましい。これにより、例えば追焚運転が実行されて追焚往き配管５及び追焚戻し配管６に浴槽水が循環したとしても、この浴槽水がスケール分離部１６等に逆流するのを防止することができる。
【００６６】
以上詳述した通り、本実施の形態によれば、給湯装置１が取扱う水に含まれるスケール成分を水処理装置１０により効率よく除去することができる。これにより、給湯装置１の機能を維持するために必要な部分、即ち、スケールから保護したい部分である貯湯タンク２、熱交換器４、追焚往き配管５、追焚戻し配管６等にスケールが付着して蓄積されるのを安定的に抑制することができる。しかも、本実施の形態では、水質を酸性化してスケール成分を水溶した状態に保持するわけではないので、水質または水温が変動した場合でも、スケールが想定外の部位で析出するのを回避することができる。従って、特に給湯装置１においては、熱交換器４等にスケールが付着することで熱交換器４の性能及び給湯効率が低下するのを抑制し、給湯装置１の機能を安定的に発揮させることができる。
【００６７】
なお、前記実施の形態１では、スケール反応部１５として反応槽１５Ａ及び反応流路１５Ｂの構成を例示し、スケール分離部１６としてフィルタ１６Ａ、加熱型分離器１６Ｂ及び電極反応型分離器１６Ｃの構成を例示し、第１から第３の変形例等として、気泡破壊装置２１、洗浄液供給装置３１及び超音波振とう装置４１の構成を例示した。本発明は、これらの構成のうち組合わせが可能な一部の構成を組合わせたシステム、及び、例示した全ての構成を組合わせたシステムも含むものである。
【００６８】
また、実施の形態１では、水処理装置１０，２０，３０，４０を給湯装置１に適用する場合を例示した。しかし、本発明は給湯装置に限らず、スケール成分を含む水が循環する各種の装置、配管、水槽等を備えた設備に適用することができる。具体例を挙げると、本発明は、温水を利用する床暖房システムを含む暖房装置、洗濯機等の設備に適用することができる。
【符号の説明】
【００６９】
１  給湯装置，２  貯湯タンク（設備），３  給湯配管，４  熱交換器，５  追焚往き配管（追焚配管），６  追焚戻し配管（追焚配管），７  追焚ポンプ，８  給湯栓，９  浴槽，１０，２０，３０，４０  水処理装置，１１  取水配管（取水回路），１１Ａ  タンク接続部，１２  取水ポンプ（取水回路），１３  ガス供給部（洗浄手段），１４  ガス容器，１５  スケール反応部，１５Ａ  反応槽，１５Ｂ  反応流路，１６  スケール分離部，１６Ａ  フィルタ，１６Ｂ  加熱型分離器，１６Ｃ  電極反応型分離器，１７  流路切換弁（排水手段），１８  排水配管（排水手段），２１  気泡破壊装置（気泡破壊手段），３１  洗浄液供給装置（洗浄手段），４１  超音波振とう装置（洗浄手段）
【図１】
2015052840.tif 000005
【図２】
2015052840.tif 000006
【図３】
2015052840.tif 000007
【図４】
2015052840.tif 000008
【図５】
2015052840.tif 000009
【図６】
2015052840.tif 000010
【図７】
2015052840.tif 000011
【図８】
2015052840.tif 000012
【手続補正書】
【提出日】平成28年1月5日(2016.1.5)
【手続補正１】
【補正対象書類名】特許請求の範囲
【補正対象項目名】全文
【補正方法】変更
【補正の内容】
【特許請求の範囲】
【請求項１】
水を貯留する設備から水を取出して当該水を前記設備に戻す機能を有し、前記設備に貯留された水が循環する取水回路と、
前記取水回路を流れる水に溶解して、水のｐHを低下させる成分を含むガスを供給するガス供給部と、
前記水の流れ方向において前記ガス供給部の下流側で前記取水回路に設けられ、前記ガスの供給により前記取水回路の水に析出したスケールを分離するスケール分離部と、
を備えた水処理装置。
【請求項２】
前記スケール分離部から流出した水を前記設備に戻すか外部に排出するかを切換える排水手段を備え、前記排水手段は、前記スケール分離部に蓄積したスケールを洗浄する洗浄処理を実行したときに、前記スケール分離部から流出した水を前記設備に戻さずに外部に排出する構成としてなる請求項１に記載の水処理装置。
【請求項３】
前記取水回路には、前記ガス供給部と前記スケール分離部との間に配置され、前記取水回路を流れる水と前記ガスとを反応させて水中にスケールを析出させるためのスケール反応部を設けてなる請求項１または２に記載の水処理装置。
【請求項４】
前記ガス供給部から供給されるガスは、ガスを微細気泡化する微細気泡発生装置を介して前記取水回路内に導入される構成としてなる請求項１から３のうち何れか１項に記載の水処理装置。
【請求項５】
前記スケール反応部は、前記水と前記ガスとの混合物を一時的に貯留する反応槽を備えてなる請求項３に記載の水処理装置。
【請求項６】
前記スケール反応部は、螺旋状に湾曲した流路により形成されて前記水と前記ガスとの混合物が流通する反応流路を備えてなる請求項３または５に記載の水処理装置。
【請求項７】
前記スケール分離部の下流側で前記取水回路のうちスケールを除去した水を前記設備に戻す部位に設けられ、前記スケール分離部から流出した水に含まれる気泡を破壊する気泡破壊手段を備えてなる請求項１から６のうち何れか１項に記載の水処理装置。
【請求項８】
前記スケール分離部に蓄積したスケールを洗浄する洗浄処理が必要であるか否かを判定する判定手段と、
前記判定手段により前記洗浄処理が必要であると判定された場合に、前記洗浄処理を実行する洗浄手段と、
を備えてなる請求項１から７のうち何れか１項に記載の水処理装置。
【請求項９】
前記スケール分離部に蓄積したスケールの蓄積量を検出するスケール検出器を備え、
前記判定手段は、前記スケール検出器により検出したスケールの蓄積量が予め設定された上限判定値を超えた場合に、前記洗浄処理が必要であると判定する構成としてなる請求項８に記載の水処理装置。
【請求項１０】
前記判定手段は、水処理装置の稼働時間が予め設定された基準時間に達したときに、前記洗浄処理が必要であると判定する構成としてなる請求項８または９に記載の水処理装置。
【請求項１１】
前記洗浄手段は前記ガス供給部により構成し、
前記洗浄処理の実行時には、前記スケール分離部に流入する水に対して前記ガス供給部から前記ガスを供給し、かつ、前記スケール分離部により水中のスケールを除去する場合と比較して、前記ガス供給部から水中に供給される水に溶解して、水のｐHを低下させる成分の量を多くする構成としてなる請求項８から１０のうち何れか１項に記載の水処理装置。
【請求項１２】
前記洗浄手段は、前記洗浄処理の実行時に酸性物質を前記スケール分離部に供給して当該スケール分離部に蓄積されていたスケールを再溶解させる洗浄液供給装置を備えてなる請求項８から１０のうち何れか１項に記載の水処理装置。
【請求項１３】
前記洗浄手段は、前記スケール分離部を微細振動させる超音波振動装置を備えてなる請求項８から１２のうち何れか１項に記載の水処理装置。
【請求項１４】
請求項１から１３のうち何れか１項に記載の水処理装置と、
前記設備を構成し、温水を貯留する貯湯タンクと、
前記貯湯タンクの温水により前記水処理装置のガス供給部を加熱する手段と、
前記貯湯タンクに貯湯された温水を外部に供給する給湯配管と、
を備えた給湯装置。
【請求項１５】
請求項１及び３から１３のうち何れか１項に記載の水処理装置と、
前記設備を構成し、温水を貯留する貯湯タンクと、
前記貯湯タンクに貯湯された温水を外部に供給する給湯配管と、
前記貯湯タンクに貯留された温水を利用して浴槽水を加熱するための熱交換器と、
前記熱交換器と浴槽との間で浴槽水を循環させる追焚配管と、
前記水処理装置のスケール分離部に蓄積したスケールを洗浄する洗浄処理を実行したときに、前記スケール分離部から流出した廃水を前記追焚配管及び前記浴槽を介して排出する排水手段と、
を備えた給湯装置。
【請求項１６】
請求項１から１３のうち何れか１項に記載の水処理装置と、
前記設備を構成し、温水を貯留する貯湯タンクと、
前記貯湯タンクの温水により前記水処理装置のガス供給部を加熱する手段と、
前記貯湯タンクに貯湯された温水を外部に供給する給湯配管と、
を備えた暖房装置。
【手続補正３】
【補正対象書類名】明細書
【補正対象項目名】０００１
【補正方法】変更
【補正の内容】
【０００１】
本発明は、例えば貯水槽、配管等の設備に用いられ、スケールの付着を抑制する機能を備えた水処理装置、当該水処理装置を用いた給湯装置及び暖房装置に関する。
【手続補正４】
【補正対象書類名】明細書
【補正対象項目名】０００７
【補正方法】変更
【補正の内容】
【０００７】
本発明は、上述の課題を解決するためになされたもので、スケールから保護したい設備と異なる部位で水中のスケール成分を効率よく除去し、設備に対するスケールの付着を安定的に抑制することが可能な水処理装置、給湯装置及び暖房装置を提供することを目的としている。
【手続補正５】
【補正対象書類名】明細書
【補正対象項目名】０００８
【補正方法】変更
【補正の内容】
【０００８】
この発明に係る水処理装置は、水を貯留する設備から水を取出して当該水を設備に戻す機能を有し、設備に貯留された水が循環する取水回路と、取水回路を流れる水に溶解して、水のｐHを低下させる成分を含むガスを供給するガス供給部と、水の流れ方向においてガス供給部の下流側で取水回路に設けられ、ガスの供給により取水回路の水に析出したスケールを分離するスケール分離部と、を備えたものである。
【手続補正６】
【補正対象書類名】明細書
【補正対象項目名】００４９
【補正方法】変更
【補正の内容】
【００４９】
気泡破壊装置２１は、制御装置により制御されるもので、例えば取水配管１１のうちスケールを除去した水を貯湯タンク２に戻す部位であるタンク接続部１１Ａに配置されている。また、気泡破壊装置２１の具体例としては、例えば超音波を発生して当該超音波の圧力により微細気泡を破壊する超音波発生装置、高温により微細気泡を破壊する温度調整装置等が挙げられる。上述した第１の変形例によれば、二酸化炭素ガスの微細気泡を含む水が水処理装置２０から貯湯タンク２に戻されることにより、当該タンク内にスケールが析出するのを抑制することができる。また、微細気泡を含む水が貯湯タンク２から外部に給湯されることにより、配管、熱交換器等にスケールが析出するのを抑制することができる。
【手続補正書】
【提出日】平成28年10月17日(2016.10.17)
【手続補正１】
【補正対象書類名】特許請求の範囲
【補正対象項目名】請求項１
【補正方法】変更
【補正の内容】
【請求項１】
水を貯留する設備から水を取出して当該水を前記設備に戻す機能を有し、前記設備に貯留された水が循環する取水回路と、
前記取水回路を流れる水に溶解して、水のｐHを低下させる成分を含むガスを供給するガス供給部と、
前記水の流れ方向において前記ガス供給部の下流側で前記取水回路に設けられ、前記ガスの供給により前記取水回路の水に析出したスケールを分離するスケール分離部と、
を備え、
前記設備は、給湯装置、暖房装置、及び洗濯機のうちの少なくとも一つであり、
前記スケール分離部に蓄積したスケールを洗浄する洗浄処理を実行する水処理装置。
【手続補正２】
【補正対象書類名】明細書
【補正対象項目名】０００８
【補正方法】変更
【補正の内容】
【０００８】
この発明に係る水処理装置は、水を貯留する設備から水を取出して当該水を設備に戻す機能を有し、設備に貯留された水が循環する取水回路と、取水回路を流れる水に溶解して、水のｐHを低下させる成分を含むガスを供給するガス供給部と、水の流れ方向においてガス供給部の下流側で取水回路に設けられ、ガスの供給により取水回路の水に析出したスケールを分離するスケール分離部と、を備え、設備は、給湯装置、暖房装置、及び洗濯機のうちの少なくとも一つであり、スケール分離部に蓄積したスケールを洗浄する洗浄処理を実行するものである。
【国際調査報告】
2015052840.tif 000013
2015052840.tif 000014
2015052840.tif 000015
2015052840.tif 000016